(57)【特許請求の範囲】
【請求項１】
入力された画像又は音声の取得データを第１の記録媒体又は第１の記録媒体及び第２の記録媒体に選択的に記録するデジタルカメラにおいて、
上記第１の記録媒体は内蔵記録媒体であり、上記第２の記録媒体は着脱可能なリムーバブル記録媒体であり、
システムに対する設定情報を記載するための第１のマップファイルを上記第１の記録媒体に記録すると共に、上記取得データに関する属性情報を記載するための第２のマップファイルをその取得データが記録された第１又は第２の記録媒体と同一の記録媒体に記録する記録手段を備え、
記録動作の起動時に上記第１のマップファイルの有無を検索し、見付かればその第１のマップファイル中の設定情報によりシステムを設定し、上記第１のマップファイルが見付からなければ、デフォルトの設定情報を含む第１のマップファイルを作成することを特徴とするデジタルカメラ。
【請求項２】
入力された画像又は音声の取得データを第１の記録媒体又は第１の記録媒体及び第２の記録媒体に選択的に記録するデジタルカメラにおいて、
上記第１の記録媒体は内蔵記録媒体であり、上記第２の記録媒体は着脱可能なリムーバブル記録媒体であり、
システムに対する設定情報を記載するための第１のマップファイルを上記第１の記録媒体に記録すると共に、上記取得データに関する属性情報を記載するための第２のマップファイルをその取得データが記録された第１又は第２の記録媒体と同一の記録媒体に記録する記録手段を備え、
記録動作の起動時に上記第２の記録媒体が接続されていない場合、上記第１の記録媒体に上記第２のマップファイルがあればそれを用い、なければ第２のマップファイルを新規作成することを特徴とするデジタルカメラ。
【請求項３】
入力された画像又は音声の取得データを第１の記録媒体又は第１の記録媒体及び第２の記録媒体に選択的に記録するデジタルカメラにおいて、
上記第１の記録媒体は内蔵記録媒体であり、上記第２の記録媒体は着脱可能なリムーバブル記録媒体であり、
システムに対する設定情報を記載するための第１のマップファイルを上記第１の記録媒体に記録すると共に、上記取得データに関する属性情報を記載するための第２のマップファイルをその取得データが記録された第１又は第２の記録媒体と同一の記録媒体に記録する記録手段を備え、
記録動作の起動時に上記第２の記録媒体が接続されている場合、その第２の記録媒体に第２のマップファイルがあればそれを用い、なければ第２の記録媒体に第２のマップファイルを新規作成することを特徴とするデジタルカメラ。
【請求項４】
上記第１のマップファイルの上記設定情報を上記第２のマップファイルにコピーすると共に、コピーされた設定情報と記録した取得データとの関連付けを行うことを特徴とする請求項１乃至３のいずれか１項に記載のデジタルカメラ。
【請求項５】
上記第１のマップファイルからの設定情報のコピーは、取得データの記録時に行うことを特徴とする請求項４に記載のデジタルカメラ。
【請求項６】
上記第２の記録媒体が接続された時に上記第１の記録媒体に格納されていた取得データ及び上記第２のマップファイルを上記第２の記録媒体にコピーすることを特徴とする請求項１乃至３のいずれか１項に記載のデジタルカメラ。
【請求項７】
入力された画像又は音声の取得データを第１の記録媒体又は第１の記録媒体及び第２の記録媒体に選択的に記録するデジタルカメラの記録方法において、
上記第１の記録媒体は内蔵記録媒体であり、上記第２の記録媒体は着脱可能なリムーバブル記録媒体であり、
システムに対する設定情報を記載するための第１のマップファイルを上記第１の記録媒体に記録すると共に、上記取得データに関する属性情報を記載するための第２のマップファイルをその取得データが記録された第１又は第２の記録媒体と同一の記録媒体に記録する記録工程を備え、
記録動作の起動時に上記第１のマップファイルの有無を検索し、見付かればその第１のマップファイル中の設定情報によりシステムを設定し、上記第１のマップファイルが見付からなければ、デフォルトの設定情報を含む第１のマップファイルを作成することを特徴とするデジタルカメラの記録方法。
【請求項８】
入力された画像又は音声の取得データを第１の記録媒体又は第１の記録媒体及び第２の記録媒体に選択的に記録するデジタルカメラの記録方法において、
上記第１の記録媒体は内蔵記録媒体であり、上記第２の記録媒体は着脱可能なリムーバブル記録媒体であり、
システムに対する設定情報を記載するための第１のマップファイルを上記第１の記録媒体に記録すると共に、上記取得データに関する属性情報を記載するための第２のマップファイルをその取得データが記録された第１又は第２の記録媒体と同一の記録媒体に記録する記録工程を備え、
記録動作の起動時に上記第２の記録媒体が接続されていない場合、上記第１の記録媒体に上記第２のマップファイルがあればそれを用い、なければ第２のマップファイルを新規作成することを特徴とするデジタルカメラの記録方法。
【請求項９】
入力された画像又は音声の取得データを第１の記録媒体又は第１の記録媒体及び第２の記録媒体に選択的に記録するデジタルカメラの記録方法において、
上記第１の記録媒体は内蔵記録媒体であり、上記第２の記録媒体は着脱可能なリムーバブル記録媒体であり、
システムに対する設定情報を記載するための第１のマップファイルを上記第１の記録媒体に記録すると共に、上記取得データに関する属性情報を記載するための第２のマップファイルをその取得データが記録された第１又は第２の記録媒体と同一の記録媒体に記録する記録工程を備え、
記録動作の起動時に上記第２の記録媒体が接続されている場合、その第２の記録媒体に第２のマップファイルがあればそれを用い、なければ第２の記録媒体に第２のマップファイルを新規作成することを特徴とするデジタルカメラの記録方法。
【発明の詳細な説明】
【０００１】
【発明の属する技術分野】
本発明は、デジタルカメラ及びその記録方法に関する。
【０００２】
【従来の技術】
近年、画像や音声をデジタル信号に変換して記録媒体に記録するデジタルカメラが開発されている。このようなデジタルカメラでは、得られる画像や音声の取得データを画像ファイルや音声ファイルとして記録媒体に記録する。また、このデジタルカメラは、撮影モード、撮影条件等の各種の設定が可能である。また、個々の取得データファイルには、その取得データに関する属性情報、例えば撮影年月日、撮影モード、撮影条件等も記録される。また、システムの上記各種設定値をまとめてシステム管理用マップファイルに予め記録しておく方法がある。
【０００３】
図４は上記デジタルカメラの構成例を示すブロック図である。
図４において、レンズ２０１により捉えられた被写体の光学像は、後方に位置するＣＣＤ等の撮像デバイス２０２によって映像電気信号に変換される。撮像デバイス２０２はＣＰＵ２０７によって与えられる制御信号に応答して、被写体の光学像に対応する電荷の蓄積、映像信号の読み出しを行う。
読み出されたアナログの映像信号は、Ａ／Ｄ変換器２０３によってデジタル信号に変換される。なお、撮像デバイス２０２とＡ／Ｄ変換器２０３との間には、図示はしていないが、ガンマ補正、色信号の形成分離、ホワイトバランス処理等の映像信号を調整する手段などが設けられている。
【０００４】
Ａ／Ｄ変換器２０３によってデジタル信号に変換された映像信号は、画像メモリ２０４に一旦蓄えられる。次に、圧縮符号化部２０５は画像メモリ２０４から読み出された画像データを圧縮符号化する。この圧縮符号化された画像データは、記録再生システムを構成する記録再生装置２０６を介して内蔵記録媒体２０８あるいはリムーバブルメモリ２２０に画像ファイル、音声ファイル等の取得データファイルとして書き込まれる。
なお、画像データの圧縮方法としては、例えば、国際標準方式として規定されているＪＰＥＧ方式を用いることができる。
【０００５】
これらの画像ファイルや音声ファイルを管理する方法として、各取得データの属性情報を一つのファイル管理用マップファイルに記録する方法が既に本出願人により提案されている。
この方法は、各取得データファイル内に記録される映像モード・撮影条件等の属性情報を格納した場合、それらの情報を大量にリスト表示する際に、それぞれの取得データファイルをオープンして読み出し、中身を解析する必要から多量の時間を必要とすることを防止するために、画像の撮影年月日、撮影モード、撮影条件、縮小画像の媒体上の記録位置、注釈情報の種類、注釈情報ファイルの媒体上の位置、および画像ファイル、音声ファイル、グループ情報等の属性情報を、取得データ管理用マップファイル上に一括して管理するものであり、内蔵記録媒体２０８にこのファイル管理用マップファイルと取得データファイルとが記録される。
【０００６】
【発明が解決しようとする課題】
一般に、記録装置の内蔵記録媒体は比較的容量が小さいので、内蔵記録媒体の他に取り外し可能な記録媒体（リムーバブルメモリ）を接続して使用することがある。取得データを多数内蔵記録媒体に記録すると容量が足りなくなるためにリムーバブルメモリ上へも記録することになるが、その後リムーバブルメモリを取り外すと、それに記録された取得データ群と、それらを管理する取得データ管理用マップファイルとが分離してしまう恐れがあった。
【０００７】
また、前述した各種設定値を記録したシステム管理用マップファイルをリムーバブルメモリ上へ記録すると、そのリムーバブルメモリを取り外した際に、システムの設定値が保存されなくなるという問題があった。
また、あるシステムのシステム管理用マップファイルが書き込まれたリムーバブルメモリを異なるシステムに接続した場合は、そのシステム管理用マップファイルに書かれたシステム設定値が全く無意味になってしまうという問題があった。
【０００８】
そこで、本発明は、システムの管理と取得データの管理とを誤りなく行うことのできるデジタルカメラ及びその記録方法を得ることを目的とする。
【０００９】
【課題を解決するための手段】
本発明に係る第１のデジタルカメラは、入力された画像又は音声の取得データを第１の記録媒体又は第１の記録媒体及び第２の記録媒体に選択的に記録するデジタルカメラにおいて、上記第１の記録媒体は内蔵記録媒体であり、上記第２の記録媒体は着脱可能なリムーバブル記録媒体であり、システムに対する設定情報を記載するための第１のマップファイルを上記第１の記録媒体に記録すると共に、上記取得データに関する属性情報を記載するための第２のマップファイルをその取得データが記録された第１又は第２の記録媒体と同一の記録媒体に記録する記録手段を備え、記録動作の起動時に上記第１のマップファイルの有無を検索し、見付かればその第１のマップファイル中の設定情報によりシステムを設定し、上記第１のマップファイルが見付からなければ、デフォルトの設定情報を含む第１のマップファイルを作成することを特徴とする。
本発明に係る第２のデジタルカメラは、入力された画像又は音声の取得データを第１の記録媒体又は第１の記録媒体及び第２の記録媒体に選択的に記録するデジタルカメラにおいて、上記第１の記録媒体は内蔵記録媒体であり、上記第２の記録媒体は着脱可能なリムーバブル記録媒体であり、システムに対する設定情報を記載するための第１のマップファイルを上記第１の記録媒体に記録すると共に、上記取得データに関する属性情報を記載するための第２のマップファイルをその取得データが記録された第１又は第２の記録媒体と同一の記録媒体に記録する記録手段を備え、記録動作の起動時に上記第２の記録媒体が接続されていない場合、上記第１の記録媒体に上記第２のマップファイルがあればそれを用い、なければ第２のマップファイルを新規作成することを特徴とする。
本発明に係る第３のデジタルカメラは、入力された画像又は音声の取得データを第１の記録媒体又は第１の記録媒体及び第２の記録媒体に選択的に記録するデジタルカメラにおいて、上記第１の記録媒体は内蔵記録媒体であり、上記第２の記録媒体は着脱可能なリムーバブル記録媒体であり、システムに対する設定情報を記載するための第１のマップファイルを上記第１の記録媒体に記録すると共に、上記取得データに関する属性情報を記載するための第２のマップファイルをその取得データが記録された第１又は第２の記録媒体と同一の記録媒体に記録する記録手段を備え、記録動作の起動時に上記第２の記録媒体が接続されている場合、その第２の記録媒体に第２のマップファイルがあればそれを用い、なければ第２の記録媒体に第２のマップファイルを新規作成することを特徴とする。
【００１０】
【作用】
本発明によれば、第１のマップファイルを第１の記録媒体上に格納し、第２のマップファイルを必ず取得データと同じ記録媒体上に記録することにより、第１のファイルがシステム上に保存しなくなることを防ぐと共に、第２のマップファイルとこのマップファイルに管理される取得データとが分離することを防止する。
【００１１】
また、取得データを管理するマップファイルに取得データ記録時のシステムの設定に関わる情報を記録する場合に、システム管理用マップファイルからシステムの設定条件に関するデータを取得データ管理用マップファイルにコピーし、記録した取得データに関連付けを行うことにより、システムの設定条件の高速な検索・表示を可能にする。
また、システム管理用ファイルからシステムの設定条件に関するデータのコピーは、取得データ記録時に行うことにより、システムの設定変更によるデータの間違いを防止することができる。
【００１２】
また、システム起動時にシステム管理ファイルを検索し、見付かればそのファイル中の情報によりシステムを設定し、システム管理ファイルが見付からなければ、デフォルトの設定条件を含むシステム管理ファイルを作成することにより、使用者がそのシステムの設定値の入力を行わなくても、システムを使用することができるようにすることができる。
また、システム起動時にリムーバブルメモリがマウントされていない場合、内蔵記録媒体に取得データを管理するマップファイルがあればこれをカレントのマップファイルとし、なければマップファイルを新規作成してこれをカレントのマップファイルとすることにより、リムーバブルメモリをシステムに接続していない場合にも、マップファイルを使用した取得データの管理が行える。
【００１３】
また、システム起動時にリムーバブルメモリがマウントされている場合、リムーバブルメモリ上にある取得データを管理するマップファイルから選択または新規作成し、これをカレントのマップファイルとすることにより、リムーバブルメモリをシステムから取り外した場合に取得データ群とそれらを管理するマップファイルとが複数の記録媒体上に分散してしまうことを防ぐことができる。
【００１４】
また、リムーバブルメモリがマウントされていない記録システムに新たにリムーバブルメモリがマウントされた時に、内蔵記録媒体上に格納されていた取得データ及びその取得データを管理するマップファイルを、リムーバブルメモリ上へコピーすることにより、一つのマップファイルに管理される取得データを記録して行く途中で、メモリの空き容量が不足することを起こりにくくすることができる。また、取得データ管理用マップファイルも同時に移動させることにより、一つの記録単位が複数の記録媒体上に分散してしまうことを防ぐことができる。
【００１５】
【発明の実施の形態】
以下に、本発明を適用した記録装置の一例として画像記録システム（デジタルカメラ）の実施の形態について図面を参照して説明する。ここでデジタルカメラを構成するブロック図は図４と同じである。
図１にシステム管理用マップファイルと、取得データ管理用マップファイルの各構成を示す。
本実施の形態による記録装置における記録システムのシステム管理用マップファイル３０１は、このシステムにおける画像フォーマット・露光・フォーカス・画像サイズ・絞り等に関する複数の設定項目の値の組合せを設定値オブジェクト（３１１、３１２、３１３）として内部に複数記録することができる。
【００１６】
取得データの記録時には、このシステムの設定値を記録している設定値オブジェクト（例えば、３１２）を、取得データ管理用マップファイル３０２上に設定値オブジェクト３１４としてコピーする。取得データ管理用マップファイル３０２上では、コピーした設定値オブジェクト３１４と記録した取得データとしての画像ファイル３０３とを画像データオブジェクト３１６により関連付けて記録する。同様にして設定値オブジェクト３１３を設定値オブジェクト３１５としてコピーし、これを音声データオブジェクト３１７と関連付けて記録する。
このように記録することにより、取得データ記録時のシステムの設定の状態を、高速に検索・表示することが可能となる。
【００１７】
次に記録システムを起動させた直後からのシステムの設定処理について図２のフローチャートに従って説明する。
まず、ステップＳ１０１において内蔵記録媒体２０８上にシステム管理用マップファイル３０１が存在するかどうかを調べる。内蔵記録媒体２０８上にシステム管理用マップファイル３０１が存在しなかった場合は、ステップＳ１０２において、システム管理用マップファイル３０１を内蔵記録媒体２０８上に新規に作成する。そして、デフォルトの各種設定値をそのシステム管理用マップファイル３０１に記録する。内蔵記録媒体２０８上にシステム管理用マップファイル３０１が存在する場合は、ステップＳ１０３において、そのシステム管理用マップファイル３０１に記録されている設定値に従い、システムを設定する。
【００１８】
次に、ステップＳ１０４において、記録システムにリムーバブルメモリ２２０が接続されているかどうかを調べる。リムーバブルメモリ２２０が接続されていない場合は、ステップＳ１０５において、取得データ管理用マップファイル３０２を内蔵記録媒体２０８上に作成し、取得データは内蔵記録媒体２０８上に記録する。
リムーバブルメモリ２２０が接続されている場合は、ステップＳ１０６において、取得データ管理用マップファイル３０２がリムーバブルメモリ２２０上になければ新規に作成し、あれば、そのうちから選択するかまたは新規に作成する。そして、取得データはリムーバブルメモリ２２０上に記録する。
【００１９】
次に、システムの起動時にはリムーバブルメモリ２２０がマウントされておらず、システムの起動後にリムーバブルメモリ２２０を装着した場合の動作について図３と共に説明する。図３（ａ）において、リムーバブルメモリが装着されていない状態では、システム管理用マップファイル４１１及び取得データ管理用マップファイル４１１が内蔵記録媒体４０１上に作成され、取得データ４１３、４１４、４１５も内蔵記録媒体４０１上に記録されているものとする。この状態から新たにリムーバブルメモリ４０２がマウントされた時は、図３（ｂ）に示すように、取得データ管理用マップファイル４１１と既に記録されている取得データ４１３、４１４、４１５とがリムーバブルメモリ４０２上にコピーされる。
【００２０】
このように記録することにより、その後、取得データを記録する際はリムーバブルメモリ４０２上に記録されるので、次にリムーバブルメモリ４０２を取り外しても取得データ管理用マップファイル４１２とこれに管理される取得データファイル４１３、４１４、４１５とは分離しない。また、リムーバブルメモリ４０２を例えば他のコンピュータシステムと接続した場合でも、取得データ管理用マップファイル４１２上には、図１で説明したようにそのシステムの設定値に関するデータもコピーされており、各取得データに関連付けられているので、取得データ取得時のシステムの各種設定値に関するデータを高速に検索・表示することができる。
【００２１】
【発明の効果】
以上説明したように本発明によれば、リムーバブルメモリの着脱により、システム管理用マップファイルがシステム上からなくなったり、取得データ管理用マップファイルとそのマップファイルに管理される取得データとが分離してしまうことを防止することができる。
【００２２】
また、取得データ記録時のシステムの設定条件を取得データを管理するマップファイルに記録し、取得データに関連付けているので、システムの設定条件の高速な検索・表示が可能となる。
また、取得データ記録時にシステムの設定に関する属性値を取得データに関連付けて保存するため、システムの設定変更によるデータの間違いを防止することができる。
【００２３】
初期状態の記録装置のシステムを使用する場合には、デフォルトの設定値によるファイルが作成されて、これによりそのシステムの設定が行われるので、使用者はシステムの設定値の入力を行わなくても、システムを使用することができる。
また、一旦システムを使用した後に停止し、再び起動する場合には、前回システムを使用した時のシステム設定の状態がファイルに保存されているので、使用者は、前回使用時の設定状態のまま使用し始めることができる。
また、リムーバブルメモリをシステムに接続していない場合にも、マップファイルを使用した取得データの管理が行える。
【００２４】
また、容量の比較的大きなリムーバブルメモリ上に取得データを記録することにより、より多くの取得データを記録することを可能にするとともに、取得データ管理用マップファイルも、リムーバブルメモリ上から選択またはリムーバブルメモリ上に作成することにより、リムーバブルメモリをシステムから取り外した場合に取得データ群とそれらを管理するマップファイルとが複数の記録媒体上に分散してしまうことを防ぐことができる。
【００２５】
また、予め容量の比較的小さな内蔵記録媒体上から容量の比較的大きなリムーバブルメモリ上に取得データを移動させておくことにより、一つのマップファイルに管理される取得データを記録して行く途中でメモリの空き容量が不足することを起こりにくくすることができる。また、取得データ管理用マップファイルも同時に移動させることにより、一つの記録単位が複数の記録媒体上に分散してしまうことを防ぐことができる。
【図面の簡単な説明】
【図１】  本発明によるシステム管理用マップファイルと取得データ管理用マップファイルの実施の形態を示す構成図である。
【図２】  システム起動後の処理手順を示すフローチャートである。
【図３】  リムーバブルメモリをシステムに装着する際に行われる取得データ管理用マップファイルおよび取得データファイルのコピー操作の概略を示す構成図である。
【図４】  従来のデジタルカメラの構成を示すブロック図である。
【符号の説明】
２０５ 画像圧縮符号化部
２０６ 記録再生装置
２０７ ＣＰＵ
２０８ 記録媒体（内蔵記録媒体）
２０９ 操作部
２１２ 音声符号化部
２２０ リムーバブルメモリ
３０１ システム管理用マップファイル
３０２ 取得データ管理用マップファイル
３０３ 取得データファイル（画像ファイル）
３０４ 取得データファイル（音声ファイル）
３１１〜３１３ システム設定値オブジェクト（システム管理用マップファイル内）
３１４〜３１５ システム設定値オブジェクト（取得データ管理用マップファイル内）
３１６ 取得データオブジェクト（画像オブジェクト）
３１７ 取得データオブジェクト（音声オブジェクト）
４０１ 内蔵記録媒体
４０２ リムーバブルメモリ
４１１ システム管理用マップファイル
４１２ 取得データ管理用マップファイル
４１３〜４１５ 取得データファイル
【図１】
0003957775.tif 000002
【図２】
0003957775.tif 000003
【図３】
0003957775.tif 000004
【図４】
0003957775.tif 000005